(57)【要約】  【課題】  波長分割多重方式にて光ファイバ介して送出された情報を、その特性に応じた通信方式にてｘＤＳＬ技術を適用したメタル線へ送出する通信方法、接続装置及び通信システムを提供する。  【解決手段】  接続装置１０では、光ファイバを介して送出された多重化された情報を受信し（Ｓ１０６）、受信した多重化された情報を波長毎に分離し（Ｓ１０７）、分離した波長毎の情報の属性を、波長に基づいて判定し（Ｓ１０９）、判定した夫々の属性に基づいて、分離した波長毎の情報の通信方式を選択し（Ｓ１１０）、選択した通信方式に基づいて夫々の情報をメタル線へ送出する（Ｓ１１１）。【選択図】        図２
2005045555.tif 000002
【特許請求の範囲】
【請求項１】
多重化された情報を伝送する第１通信線と、該第１通信線と通信方式が異なる第２通信線とを接続する接続装置を用い、前記第１通信線を介して受信した情報を前記第２通信線へ送出する通信方法において、
前記接続装置は、
前記第１通信線を介して受信した多重化された情報を分離し、
分離した各情報の夫々の属性に基づいて通信方式を選択し、
選択した通信方式に基づいて前記第２通信線へ、夫々の情報を送出する
ことを特徴とする通信方法。
【請求項２】
多重化された情報を伝送する第１通信線と、該第１通信線と通信方式が異なる第２通信線とを接続する接続装置において、
前記第１通信線を介して受信した多重化された情報を分離する手段と、
分離した各情報の夫々の属性に基づいて通信方式を選択する選択手段と、
選択した通信方式に基づいて前記第２通信線へ、夫々の情報を送出する手段と
を備えることを特徴とする接続装置。
【請求項３】
波長分割多重方式にて多重化された情報を伝送する第１通信線と、ｘＤＳＬ技術を適用した通信に用いられる第２通信線とを接続する接続装置において、
前記第１通信線を介して受信した情報を波長毎に分離する手段と、
分離した波長毎の情報の夫々の属性に基づいて通信方式を選択する選択手段と、
選択した通信方式に基づいて前記第２通信線へ、夫々の情報を送出する手段と
を備えることを特徴とする接続装置。
【請求項４】
前記選択手段は、属性に基づいてコネクション型の通信方式又はコネクションレス型の通信方式を選択可能であることを特徴とする請求項２又は請求項３に記載の接続装置。
【請求項５】
前記コネクション型の通信方式を選択した場合に限り、送出すべき情報の誤り訂正制御処理を行う手段を更に備えることを特徴とする請求項４に記載の接続装置。
【請求項６】
分離した波長毎の情報の属性を、波長に基づいて判定する手段を更に備えることを特徴とする請求項３乃至請求項５のいずれかに記載の接続装置。
【請求項７】
請求項２乃至請求項６のいずれかに記載の接続装置と、
該接続装置に接続する前記第１通信線へ多重化された情報を送出する送信装置と、
前記接続装置から前記第２通信線へ送出された情報を受信する受信装置と
を備えることを特徴とする通信システム。
【請求項８】
前記送信装置は、
送信すべき情報の属性を判定する手段と、
判定した属性に基づいて情報を多重化する手段と
を備えることを特徴とする請求項７に記載の通信システム。
【請求項９】
前記第１通信線は光ファイバであり、
前記第２通信線はメタル線である
ことを特徴とする請求項７又は請求項８に記載の通信システム。
【発明の詳細な説明】
【技術分野】
【０００１】
本発明は波長分割多重方式（ＷＤＭ：Wavelength Division Multiplex）にて情報を伝送する光ファイバ等の第１通信線と、ＶＤＳＬ（Very High Speed Digital Subscriber Line）等のｘＤＳＬ技術を適用したメタル線等の第２通信線とをメディアコンバータ等の接続装置にて接続した通信方法、その方法に用いられる接続装置、及びその装置を用いた通信システムに関し、特に情報の遅延特性に応じた伝送を行う通信方法、接続装置及び通信システムに関する。
【背景技術】
【０００２】
高速なインターネットを利用する方法として企業及び家庭にて使用されている通常の電話線を利用したＡＤＳＬ(Asymmetric Digital Subscriber Line)等の通信技術が普及してきている。
【０００３】
ところが現状のＡＤＳＬ技術による通信速度は、ダウンストリームで１〜５Ｍｂｐｓ程度、アップストリームで１２０ｋｂｐｓ程度というのが実情であり、更なる高速な通信が求められている。
【０００４】
そこで光通信技術及びＶＤＳＬ(Very High Speed Digital Subscriber Line) 技術を組み合わせた通信システムが注目されている。
【０００５】
図５は従来の通信システムの構成を示すブロック図である。
【０００６】
図５中、Ｌ１００は光ファイバであり、光ファイバＬ１００は、インターネット等の外部通信網に接続する送信装置１００から送信される情報を第１接続装置２００へ媒介する。
【０００７】
光ファイバＬ１００を介した通信は、１本の通信線に異なる波長λ1 ，λ2 ，…の光を通してチャネル（論理的伝送路）多重化することで大容量の情報を双方向に伝送することが可能な波長分割多重方式（ＷＤＭ：Wavelength Division Multiplex ）にて行われる。
【０００８】
第１接続装置２００は、光ファイバＬ１００とイーサネット（登録商標）等の所定のＬＡＮ規格に基づくＬＡＮケーブルＬ２００とを接続して情報の送受信処理を行う装置であり、光ファイバＬ１００を介して受信した情報を波長λ1 ，λ2 ，…毎に分離する光分波手段２１０と、分離した各波長λ1 ，λ2 ，…の光を夫々受け付ける受光素子２２０ａ1 ，２２０ａ2 ，…を有する受光手段２２０とを備えている。
【０００９】
第１接続装置２００では、光ファイバＬ１００を介して受信した多重化された情報を分離後、受光手段２２０が備える夫々の受光素子２２０ａ1 ，２２０ａ2 ，…にて受け付け、ＬＡＮケーブルＬ２００上で伝送することが可能なイーサネット等の所定のＬＡＮ規格に基づくフレーム形式に変換し、フレーム形式に変換した情報を、ＬＡＮケーブルＬ２００に接続する第２接続装置３００へＬＡＮケーブルＬ２００を介して送信する。
【００１０】
第２接続装置３００は、ＬＡＮケーブルＬ２００と電話線として用いられるメタル線Ｌ３００とを接続して情報の送受信処理及び変換処理を行う装置であり、ＬＡＮケーブルＬ２００を介して受信した所定のＬＡＮ規格に基づくフレーム形式の情報を、メタル線Ｌ３００上でＶＤＳＬ技術を用いて伝送することが可能なＶＤＳＬ規格のフレーム形式に変換し、メタル線Ｌ３００に接続するモデム等の受信装置４００へメタル線Ｌ３００を介してＶＤＳＬ技術を用いた通信方式にて送信する。
【００１１】
メタル線Ｌ３００を介して行われるＶＤＳＬ技術を用いた通信は、ノイズを受け易く、そのためバースト誤り等の誤りが発生しやすいので、インタリーブ機能により誤り訂正制御処理を行うスローチャネルと呼ばれるチャネル（論理的伝送路）にて通信を行う。
【００１２】
ただしインタリーブ処理を行わずに通信速度を優先するファストチャネルと呼ばれるチャネルにて通信を行うことも可能である。
【００１３】
受信装置４００は、メタル線Ｌ３００を介してＶＤＳＬ規格のフレーム形式の情報を受信し、受信した情報を元の形式の情報に復元後、ＬＡＮ等の内部通信網に接続する経路設定装置等の装置へ送信する。
【００１４】
なお説明の便宜上第１接続装置２００に接続する外部通信網側の装置を送信装置１００とし、第２接続装置３００に接続する内部通信網側の装置を受信装置４００としているが、送信装置１００及び受信装置４００間は双方向での通信が可能であり、受信装置４００から情報を送信し、第２接続装置３００及び第１接続装置２００を介して送信装置１００にて受信する通信も行われる。
【００１５】
なお波長分割多重方式による光ファイバを用いた通信技術として波長に応じて増幅方法を変更することにより、高品質な通信を提供する光通信装置が開示されている（例えば、特許文献１参照）。
【特許文献１】特開平５−２５９５４３号公報
【発明の開示】
【発明が解決しようとする課題】
【００１６】
しかしながら従来の通信システムでは、送信装置から受信装置へ送信される情報の通信に要求される遅延時間の許容度に関わらず、遅延時間は長いが信頼性の高いスローチャネルにより第２接続装置から受信装置への送信が行われる。
【００１７】
これは第１接続装置から第２接続装置へ情報を送信する場合に、第１接続装置では所定のＬＡＮ規格規格に基づくフレームに、送信すべき情報を一律に変換する処理を行う必要があるため、第２接続装置では所定のＬＡＮ規格のフレーム形式に変換された情報から遅延時間の許容度を検出することができず、ファストチャネル又はスローチャネルの選択を行うことができないからである。
【００１８】
なお特許文献１においても遅延時間の許容度については言及されていない。
【００１９】
従って低遅延での通信が要求される情報に対しては短時間での通信を行うことができないという問題が生じる。
【００２０】
本発明は斯かる事情に鑑みてなされたものであり、送信装置に接続する光ファイバと受信装置に接続するメタル線とをメディアコンバータ等の一台の接続装置にて接続し、接続装置にて、多重化された情報を分離し、分離した情報の遅延時間の許容度を検出した上で、低遅延での通信が要求される情報に対しては短時間で通信を行うための通信方式を用いて通信を行い、確実な通信が要求される情報に対しては信頼性の高い通信方式を用いて通信を行うことにより、送信すべき情報の特性に応じた通信を行うことが可能な通信方法、その方法に用いられる接続装置、及びその装置を用いた通信システムの提供を目的とする。
【課題を解決するための手段】
【００２１】
第１発明に係る通信方法は、多重化された情報を伝送する第１通信線と、該第１通信線と通信方式が異なる第２通信線とを接続する接続装置を用い、前記第１通信線を介して受信した情報を前記第２通信線へ送出する通信方法において、前記接続装置は、前記第１通信線を介して受信した多重化された情報を分離し、分離した各情報の夫々の属性に基づいて通信方式を選択し、選択した通信方式に基づいて前記第２通信線へ、夫々の情報を送出することを特徴とする。
【００２２】
第１発明に係る通信方法では、波長分割多重方式等の方式にて多重化した情報を伝送する光ファイバ等の第１通信線と、ｘＤＳＬ等の技術を適用したメタル線等の第２通信線とを接続するメディアコンバータ等の接続装置にて、第１通信線を介して受信した多重化された情報を分離し、分離した情報の波長及び所定のフラグデータ等の属性に基づいてプロトコル（通信規約）及びチャネル（論理的伝送路）等の通信方式を選択し、選択した通信方式に基づいて第２通信線へ夫々の情報を送出することにより、送信すべき情報の遅延時間の許容度及び確実性等の特性に応じた通信を行うことができるので、低遅延での通信が要求される情報に対しては短時間で通信を行うことが可能となり、確実な通信が要求される情報に対しては信頼性の高い通信を行うことが可能となる。
【００２３】
第２発明に係る接続装置は、多重化された情報を伝送する第１通信線と、該第１通信線と通信方式が異なる第２通信線とを接続する接続装置において、前記第１通信線を介して受信した多重化された情報を分離する手段と、分離した各情報の夫々の属性に基づいて通信方式を選択する選択手段と、選択した通信方式に基づいて前記第２通信線へ、夫々の情報を送出する手段とを備えることを特徴とする。
【００２４】
第２発明に係る接続装置では、波長分割多重方式等の方式にて多重化した情報を伝送する光ファイバ等の第１通信線と、ｘＤＳＬ等の技術を適用したメタル線等の第２通信線とを接続し、第１通信線を介して受信した多重化された情報を分離し、分離した情報の属性に基づいて通信方式を選択し、選択した通信方式に基づいて第２通信線へ夫々の情報を送出することにより、送信すべき情報の遅延時間の許容度及び確実性等の特性に応じた通信を行うことができるので、低遅延での通信が要求される情報に対しては短時間で通信を行うことが可能となり、確実な通信が要求される情報に対しては信頼性の高い通信を行うことが可能となる。
【００２５】
第３発明に係る接続装置は、波長分割多重方式にて多重化された情報を伝送する第１通信線と、ｘＤＳＬ技術を適用した通信に用いられる第２通信線とを接続する接続装置において、前記第１通信線を介して受信した情報を波長毎に分離する手段と、分離した波長毎の情報の夫々の属性に基づいて通信方式を選択する選択手段と、選択した通信方式に基づいて前記第２通信線へ、夫々の情報を送出する手段とを備えることを特徴とする。
【００２６】
第３発明に係る接続装置では、第１通信線を介して受信した情報を波長毎に分離し、予め波長毎に設定してある属性及び所定のフラグデータ等の属性に基づいて通信方式を選択し、選択した通信方式に基づいて第２通信線へ夫々の情報を送出することにより、送信すべき情報の遅延時間の許容度及び確実性等の特性に応じた通信を行うことが可能である。
【００２７】
第４発明に係る接続装置は、第２発明又は第３発明において、前記選択手段は、属性に基づいてコネクション型の通信方式又はコネクションレス型の通信方式を選択可能であることを特徴とする。
【００２８】
第４発明に係る接続装置では、確実な通信が要求される情報に対しては信頼性の高いＴＣＰ(Transmission Control Protocol) 等のコネクション型のプロトコルを通信方式として選択することにより、送信すべき情報を送信する単位となるフレームの消失等の通信エラーを防止して信頼性の高い通信を行うことが可能となり、低遅延での通信が要求される属性の情報に対しては、遅延時間が短いＵＤＰ(User Datagram Protocol)等のコネクションレス型のプロトコルを通信方式として選択することにより、コネクションに要する時間が不要となるので短時間で通信を行うことが可能となる。
【００２９】
第５発明に係る接続装置は、第４発明において、前記コネクション型の通信方式を選択した場合に限り、送出すべき情報の誤り訂正制御処理を行う手段を更に備えることを特徴とする。
【００３０】
第５発明に係る接続装置では、確実な通信が要求されるコネクション型の通信方式にて送出されるべき情報に限り、インタリーブ機能により誤り訂正制御処理を行う通信方式であるスローチャネルにて情報を送出することにより、ノイズ等の要因によるバースト誤り等の誤りを訂正する信頼性の高い通信を行うことが可能となり、低遅延での通信が要求されるコネクションレス型の通信方式にて送出されるべき情報に対しては誤り訂正制御処理を行わない通信方式であるファストチャネルにて情報を送出することにより、誤り訂正制御処理に要する時間が不要となるので短時間で通信を行うことが可能となる。
【００３１】
第６発明に係る接続装置は、第３発明乃至第５発明のいずれかにおいて、分離した波長毎の情報の属性を、波長に基づいて判定する手段を更に備えることを特徴とする。
【００３２】
第６発明に係る接続装置では、所定の波長より短波長の波長にて伝送された情報を信頼性の高い通信を行うべき属性と判定し、また所定の波長より長波長の波長にて伝送された情報を低遅延での通信が要求されるべき属性と判定することにより、情報の属性の検出及び判定に要する処理による遅延を防止することが可能である。
【００３３】
第７発明に係る通信システムは、第２発明乃至第６発明のいずれかに記載の接続装置と、該接続装置に接続する前記第１通信線へ多重化された情報を送出する送信装置と、前記接続装置から前記第２通信線へ送出された情報を受信する受信装置とを備えることを特徴とする。
【００３４】
第７発明に係る通信システムでは、メディアコンバータ等の送信装置と、モデム等の受信装置との間にイーサネット（登録商標）等の所定のＬＡＮ規格に基づくＬＡＮケーブルにて接続する区間を設けず、第１通信線及び第２通信線を１台の接続装置にて接続することにより、所定のＬＡＮ規格のフレーム形式に変換することで送信される情報の属性が不明となるという状況を回避することができるので、第１通信線を介して受信した情報の属性に基づく通信方式の選択を行うことが可能であり、これにより送信すべき情報の遅延時間の許容度及び確実性等の特性に応じた通信を行うことが可能となる。
【００３５】
第８発明に係る通信システムは、第７発明において、前記送信装置は、送信すべき情報の属性を判定する手段と、判定した属性に基づいて情報を多重化する手段とを備えることを特徴とする。
【００３６】
第８発明に係る通信システムでは、送信すべき情報の属性に応じて搬送波の波長の選択及びフラグデータの付与等の処理を行った上で情報を多重化することにより、送信すべき情報の遅延時間の許容度及び確実性等の特性に応じた通信を行うことが可能となる。
【００３７】
第９発明に係る通信システムは、第７発明又は第８発明において、前記第１通信線は光ファイバであり、前記第２通信線はメタル線であることを特徴とする。
【００３８】
第９発明に係る通信システムでは、光通信技術及びｘＤＳＬ技術を組み合わせることにより、高速な通信を実現することが可能である。
【発明の効果】
【００３９】
本発明に係る通信方法、接続装置及び通信システムでは、波長分割多重方式等の方式にて多重化した情報を伝送する光ファイバ等の第１通信線と、ＶＤＳＬ等の技術を適用したメタル線等の第２通信線とを接続するメディアコンバータ等の接続装置にて、第１通信線を介して受信した多重化された情報を分離し、分離した情報の波長等の属性に基づいてプロトコル（通信規約）及びチャネル（論理的伝送路）等の通信方式を選択し、選択した通信方式に基づいて第２通信線へ夫々の情報を送出することにより、送信すべき情報の遅延時間の許容度及び確実性等の特性に応じた通信を行うことができるので、低遅延での通信が要求される情報に対しては短時間で通信を行うことが可能となり、確実な通信が要求される情報に対しては信頼性の高い通信を行うことが可能となる等、優れた効果を奏する。
【発明を実施するための最良の形態】
【００４０】
以下、本発明をその実施の形態を示す図面に基づいて詳述する。
【００４１】
図１は本発明の通信システムの構成を示すブロック図である。
【００４２】
図１中１０は光信号及び電気信号を相互に変換するメディアコンバータ等の本発明の接続装置であり、接続装置１０は、光ファイバ等の第１通信線Ｌ１の一端及び電話線として用いられるメタル線等の第２通信線Ｌ２の一端を接続している。
【００４３】
第１通信線Ｌ１の他端には、光信号及び電気信号を相互に変換するメディアコンバータ等の送信装置２０が接続されており、送信装置２０はインターネット等の外部通信網ＮＷｏに接続している。
【００４４】
第１通信線Ｌ１を介して行われる接続装置１０及び送信装置２０間の通信は、１本の通信線に異なる波長λ1 ，λ2 ，…，λn-1 ，λn ，λn+1，…の光を通してチャネル（論理的伝送路）多重化することで大容量の情報を双方向に伝送することが可能な波長分割多重方式（ＷＤＭ：Wavelength Division Multiplex ）にて行われる。
【００４５】
第２通信線Ｌ２の他端は、アナログ信号及びディジタル信号を相互に変換するモデム等の受信装置３０が接続されており、受信装置３０はＬＡＮ等の内部通信網ＮＷｉに接続している。
【００４６】
なお内部通信網ＮＷｉには、直接又はルータ等の経路設定装置を介してパーソナルコンピュータ等の図示しないコンピュータが接続されている。
【００４７】
第２通信線Ｌ２を介して行われる接続装置１０及び受信装置３０間の通信は、ＶＤＳＬ(Very High Speed Digital Subscriber Line) 等のｘＤＳＬ技術を適用したアナログ電気信号により行われる。
【００４８】
なお第２通信線Ｌ２を介して行われるＶＤＳＬ技術を用いた通信は、ノイズを受け易く、そのためバースト誤り等の誤りが発生しやすいので、インタリーブ機能により誤り訂正制御処理を行うスローチャネルと呼ばれるチャネル（論理的伝送路）にて通信を行う。
【００４９】
ただしインタリーブ処理を行わずに通信速度を優先するファストチャネルと呼ばれるチャネルにて通信を行うことも可能である。
【００５０】
なお説明の便宜上、第１通信線Ｌ１を介して接続装置１０に接続する装置を送信装置２０とし、第２通信線Ｌ２を介して接続装置２０に接続する装置を受信装置３０としているが、送信装置２０及び受信装置３０間では、双方向での通信が可能であり、外部通信網ＮＷｏから送信装置２０、接続装置１０、受信装置３０、そして内部通信網ＮＷｉへ情報を送信するだけでなく、内部通信網ＮＷｉから受信装置３０、接続装置１０、送信装置２０、そして外部通信網ＮＷｏへ情報を送信することも可能である。
【００５１】
接続装置１０は、装置全体を制御するＣＰＵ１１、各種プログラム及びデータ等の情報を記録するＲＯＭ１２、ＣＰＵ１１の制御により発生する一時的なデータの記憶に用いられるＲＡＭ１３、第１通信線Ｌ１に接続する第１通信手段１４、第２通信線Ｌ２に接続する第２通信手段１５、第１通信手段１４が受信した多重化された情報を波長毎に分離する光分波手段１６、及び光分波手段１６により分離した各波長の光を夫々受け付ける受光素子１７ａ1 ，１７ａ2 ，…，１７ａn-1 ，１７ａn ，１７ａn+1 ，…を有する受光手段１７を備えている。
【００５２】
送信装置２０は、ＣＰＵ２１、ＲＯＭ２２、ＲＡＭ２３、第１通信手段２４、及び外部通信網ＮＷｏに接続する外部通信手段２５を備えている。
【００５３】
受信装置３０は、ＣＰＵ３１、ＲＯＭ３２、ＲＡＭ３３、第２通信手段３４、及び内部通信網ＮＷｉに接続する内部通信手段３５を備えている。
【００５４】
次に本発明の通信システムにて用いられる各種装置の処理について説明する。
【００５５】
図２は本発明の通信システムにて用いられる接続装置１０、送信装置２０及び受信装置３０の情報伝送処理を示すフローチャートである。
【００５６】
送信装置２０では、ＣＰＵ２１の制御により、外部通信網ＮＷｏを介して送信された各種情報を、外部通信手段２５にて受信する（Ｓ１０１）。
【００５７】
外部通信網ＮＷｏ上では、パケット交換網であるため、複数種類の情報が所定のデータ単位として伝送されている。
【００５８】
送信装置２０では、ＣＰＵ２１の制御により、外部通信網ＮＷｏを介して受信した接続装置１０へ送信すべき複数の情報の夫々の属性を判定し（Ｓ１０２）、判定した属性に応じて夫々の情報に対して搬送波となる波長λ1 ，λ2 ，…，λn-1 ，λn ，λn+1 ，…を選択する（Ｓ１０３）。
【００５９】
ステップＳ１０２にて判定する属性とは、送信すべき情報の遅延時間の許容度及び確実性等の特性に基づいて決定される属性、即ち高速な通信と信頼性の高い通信とのいずれを優先するかを示す属性である。
【００６０】
例えば映像及び音楽等の情報のストリーミングデータは遅延時間の許容度が小さい高速な通信を要する属性と判定され、電子メールとして伝送される情報は確実に送信先へ送信することを要求される信頼性の高い通信を要する属性と判定される。
【００６１】
ステップＳ１０３における波長の選択の例としては、高速な通信を要する属性の情報に対しては短波長側の波長λ1 ，λ2 ，…，λn-1 が選択され、信頼性の高い通信を要する属性の情報に対しては長波長側の波長λn ，λn+1 ，…が選択される。
【００６２】
またステップＳ１０３において属性に応じて波長を選択するのではなく、接続装置１０へ送信する情報のヘッダデータとして属性を示す所定のフラグデータを示すようにしても良い。
【００６３】
なお以降の説明において遅延時間の許容度が小さい高速な通信を要する属性を低遅延属性と称し、信頼性の高い通信を要する属性を高信頼属性と称する。
【００６４】
そして送信装置２０では、ＣＰＵ２１の制御により、選択された夫々波長λ1 ，λ2 ，…λn-1 ，λn ，λn+1 ，…に基づいて、波長分割多重方式にて複数の情報を多重化し（Ｓ１０４）、多重化した情報を第１通信手段２４から第１通信線Ｌ１へ送出する（Ｓ１０５）。
【００６５】
接続装置１０では、ＣＰＵ１１の制御により、第１通信線Ｌ１へ送出された多重化された情報を第１通信手段１４にて受信し（Ｓ１０６）、受信した多重化された情報を光分波手段１６にて波長毎に分離し（Ｓ１０７）、光分波手段１６により分離した各波長の光により搬送される情報を、受光手段１７が有する受光素子１７ａ1 ，１７ａ2 ，…により夫々受け付ける（Ｓ１０８）。
【００６６】
そして接続装置１０では、ＣＰＵ１１の制御により、分離した波長毎の情報の属性を、波長に基づいて判定する（Ｓ１０９）。
【００６７】
ステップＳ１０９において分離した波長毎の情報の属性を波長に基づいて判定する処理とは、受け付けた受光素子１７ａ1 ，１７ａ2 ，…に応じて、その情報の属性を判定する処理であり、例えば短波長側の波長λ1 ，λ2 ，…λn-1 に対応する受光素子１７ａ1 ，１７ａ2 ，…，１７ａn-1 が受け付けた情報は低遅延属性であると判定し、長波長側の波長λn ，λn+1 ，…に対応する受光素子１７ａn ，１７ａn+1 ，…が受け付けた情報は高信頼属性であると判定する処理である。
【００６８】
なお受信した情報のヘッダデータに示された属性を示すフラグデータに基づいて属性を判定するようにしても良いが、波長に基づいて、即ち受け付けた受光素子１７ａ1 ，１７ａ2 ，…に基づいて属性を判定することにより、情報の属性の検出及び判定に要する処理による遅延を防止することができる。
【００６９】
そして接続装置１０では、ＣＰＵ１１の制御により、判定した夫々の属性に基づいて、分離した波長毎の情報の通信方式を選択し（Ｓ１１０）、選択した通信方式に基づいて夫々の情報を第２通信手段１５から第２通信線Ｌ２へ送出する（Ｓ１１１）。
【００７０】
ステップＳ１１０にて選択する通信方式とは、第２通信線Ｌ２を伝送するプロトコル（通信規約）及びチャネル（論理的伝送路）のことであり、高信頼属性であると判定された情報に対しては、送信すべき情報を送信する単位となるフレームの消失等の通信エラーを防止して信頼性の高い通信を行うことが可能なＴＣＰ(Transmission Control Protocol) 等のコネクション型のプロトコルが選択され、低遅延属性であると判定された情報に対しては遅延時間が短いＵＤＰ(User Datagram Protocol)等のコネクションレス型のプロトコルが通信方式として選択される。
【００７１】
コネクション型のプロトコルであるＴＣＰによる通信では、受信側の装置にて情報の伝送単位であるフレームを受信する都度、送信側の装置へ受信したことを確認する信号を送信することにより信頼性を高めることが可能であり、コネクションレス型のプロトコルであるＵＤＰでは受信を確認する信号の送出処理を要しないので遅延時間を短縮することが可能である。
【００７２】
また高信頼属性であると判定されたコネクション型のプロトコルにて送出すべき情報に対してはインタリーブ機能により誤り訂正制御処理を行うスローチャネルが通信方式として選択され、低遅延属性であると判定されたコネクションレス型のプロトコルにて送出すべき情報に対しては誤り訂正制御処理を行わないファストチャネルが通信方式として選択される。
【００７３】
受信装置３０では、ＣＰＵ３１の制御により、第２通信線Ｌ２へ送出された情報を第２通信手段３４にて受信し（Ｓ１１２）、受信した情報を内部通信網ＮＷｉへ送出する（Ｓ１１３）。
【００７４】
このようにして外部通信網ＮＷｏを介して送信された各種情報が、送信装置３０、接続装置１０、そして受信装置２０を介して内部通信網ＮＷｉへ送信され、更に内部通信網ＮＷｉに直接又は経路設定装置を介して接続するパーソナルコンピュータ等のコンピュータへ送信される。
【００７５】
ここでインタリーブ機能により誤り訂正制御処理を行うスローチャネルによる情報の伝送について説明する。
【００７６】
図３は本発明の通信システムにて用いられる接続装置１０及び受信装置３０の高信頼属性情報伝送処理を示すフローチャートである。
【００７７】
接続装置１０では、ＣＰＵ１１の制御により、図２を用いて説明した情報伝送処理のステップＳ１１０にて高信頼属性であると判定しコネクション型の通信方式を選択した情報に限り、ＶＤＳＬ規格のフレームとして送信すべくその情報を分割し（Ｓ２０１）、分割した夫々のビットデータの配置を、所定の法則に基づいて変換（シフト）する送信側誤り訂正制御処理を行い（Ｓ２０２）、送信側誤り訂正制御処理を行ったビットデータを含むＶＤＳＬ規格のフレーム単位の情報を第２通信手段１５から第２通信線Ｌ２へ送出する（Ｓ２０３）。
【００７８】
ステップＳ２０３の情報を送出する処理とは、図２のステップＳ１１３における情報を送出する処理を示している。
【００７９】
受信装置３０では、ＣＰＵ３１の制御により、第２通信線Ｌ２へ送出された情報を第２通信手段３４にて受信し（Ｓ２０４）、受信したＶＤＳＬ規格のフレーム単位の情報に含まれるビットデータの誤りの検出及び訂正を行った上で元の配置に再変換する受信側誤り訂正制御処理を行う（Ｓ２０５）。
【００８０】
ＶＤＳＬ技術を用いて行われる通信は、ノイズを受け易く、そのためバースト誤りが発生し易いという問題があるがスローチャネルにより行われる通信では誤り訂正制御処理が行われるため信頼性の高い通信を実現することが可能である。
【００８１】
ファストチャネルにより行われる通信に対しては、このような誤り訂正制御処理が行われないため、信頼性は低下するが処理負荷が大幅に軽減されるため低遅延の通信を実現することが可能である。
【００８２】
図１乃至図３を用いて説明したように本発明では、従来のシステムにて用いられていた光ファイバに接続する第１接続装置及びメタル線に接続する第２接続装置の機能を一台の接続装置に持たせることにより、イーサネット（登録商標）等の所定のＬＡＮ規格に基づくＬＡＮケーブルにて接続する区間を無くして情報の属性毎の通信方式の選択を実現しているが、本発明はこの形態に限らず２台の接続装置を用いて実現することも可能である。
【００８３】
図４は本発明の通信方法を適用したシステムの構成を示すブロック図である。
【００８４】
図４中４０は、図１に示した外部通信網ＮＷｏに接続する送信装置２０と第１通信線Ｌ１を介して通信する第１接続装置であり、図４中５０は、図１に示した内部通信網ＮＷｉに接続する受信装置３０と第２通信線Ｌ２を介して通信する第２接続装置である。
【００８５】
なお送信装置２０及び受信装置３０については、図１を用いて説明した構成と同様であるので、図１及びその説明を参照するものとし、図４中での図示及び説明を省略する。
【００８６】
第１接続装置４０は、ＣＰＵ４１、ＲＯＭ４２、ＲＡＭ４３、第１通信手段４４、光分波手段４５、受光素子４６ａ1 ，４６ａ2 ，…を有する受光手段４６、並びにイーサネット（登録商標）等の所定のＬＡＮ規格に基づくＬＡＮケーブルに接続する高信頼属性通信手段４７及び低遅延属性通信手段４８を備えている。
【００８７】
なお高信頼属性通信手段４７及び低遅延属性通信手段４８とは、ＬＡＮポート並びに通信制御を行うハードウェア及びソフトウェアを用いた公知の手段であり、また夫々実質的に同じものである。
【００８８】
第２接続装置５０は、ＣＰＵ５１、ＲＯＭ５２、ＲＡＭ５３、第２通信手段５４、並びに高信頼属性通信手段５５及び低遅延属性通信手段５６を備えている
第１接続装置４０が備える高信頼属性通信手段４７及び第２接続装置５０が備える高信頼属性通信手段５５はＬＡＮケーブルを用いた第３通信線Ｌ３にて接続されており、第１接続装置４０が備える低遅延属性通信手段４８及び第２接続装置５０が備える低遅延属性通信手段５６はＬＡＮケーブルを用いた第４通信線Ｌ４にて接続されている。
【００８９】
この形態において、第１接続装置４０が多重化された情報を受信した場合、第１接続装置４０では、受信した多重化された情報を光分波手段４５にて波長毎に分離し、分離した各波長の光により搬送される情報を、受光手段４６が有する受光素子４６ａ1 ，４６ａ2 ，…により夫々受け付ける。
【００９０】
そして第１接続装置４０では、分離した波長毎の情報の属性を、波長に基づいて判定し、高信頼属性であると判定した情報を高信頼属性通信手段４７から第３通信線Ｌ３へ送出し、低遅延属性であると判定した情報を低遅延属性通信手段４８から第４通信線Ｌ４へ送出する。
【００９１】
第２接続装置５０では、第３通信線Ｌ３へ送出された情報を高信頼属性通信手段５５にて受信し、第４通信線Ｌ４へ送出された情報を低遅延属性通信手段５６にて受信する。
【００９２】
そして第２接続装置５０では、高信頼属性通信手段５５を介して受信した情報に対しては、コネクション型のプロトコル及びスローチャネルによる通信方式を選択し、低遅延属性通信手段４８を介して受信した情報に対してはコネクションレス型のプロトコル及びファストチャネルによる通信方式を選択し、選択した通信方式に基づいて夫々の情報を第２通信手段から第２通信線Ｌ２へ送出する。
【００９３】
このように図４に示した形態では、２本のＬＡＮケーブルを夫々第３通信線Ｌ３及び第４通信線Ｌ４として用いることにより、第２接続装置５０側にて情報の属性を判別することが可能となるので、送信すべき情報の特性に応じた通信を行うことが可能である。
【００９４】
また図４に示した形態では、図１に示した形態と比べて従来のシステムにて用いた装置を容易に転用することが可能である。
【００９５】
図１乃至図４を用いて説明した前記実施の形態では、波長に基づいて属性を判定する方法を示したが、本発明はこれに限らず、情報に含まれるフラグデータ、使用されているアプリケーションプログラム及びプロトコル等の様々な要素に基づいて属性を判定する形態に適用することが可能である。
【図面の簡単な説明】
【００９６】
【図１】本発明の通信システムの構成を示すブロック図である。
【図２】本発明の通信システムにて用いられる接続装置、送信装置及び受信装置の情報伝送処理を示すフローチャートである。
【図３】本発明の通信システムにて用いられる接続装置及び受信装置の高信頼属性情報伝送処理を示すフローチャートである。
【図４】本発明の通信方法を適用したシステムの構成を示すブロック図である。
【図５】従来の通信システムの構成を示すブロック図である。
【符号の説明】
【００９７】
１０  接続装置
１６  光分波手段
１７  受光手段
２０  送信装置
３０  受信装置
Ｌ１  第１通信線
Ｌ２  第２通信線
【図１】
2005045555.tif 000003
【図２】
2005045555.tif 000004
【図３】
2005045555.tif 000005
【図４】
2005045555.tif 000006
【図５】
2005045555.tif 000007